Podtech/llm-jp-corpus-v4-ja_patent huggingface dataset:
(57)【要約】【課題】  正座時におこり易い足の痺れ、足首のタコ、色素沈着を柔らげる足首まくらを提供する。【解決手段】  正座した時に足首の下に敷くまくらであって、内部にウレタンや綿材などを詰めた袋からなる本体の２個を一対とし、紐で連結し、２個の本体を正座した時の両足それぞれの足首の下に敷いて使用することを特徴とする足首まくら。【選択図】図１
2008043710.tif 000002
【特許請求の範囲】
【請求項１】
正座した時に足首の下に敷くまくらであって、内部にウレタンや綿材などを詰めた袋からなる本体の２個を一対とし、紐で連結し、２個の本体を正座した時の両足それぞれの足首の下に敷いて使用することを特徴とする足首まくら。
【発明の詳細な説明】
【技術分野】
【０００１】  本発明は、正座時におこり易い足の痺れ、足首のタコ、色素沈着を柔らげる足首まくらに関するものである。
【背景技術】
【０００２】  従来、正座時の痺れを軽減するために尻の下に敷いて足首に重量がかかることを防ぐ椅子の発明が知られている（特許文献１）。
【特許文献】  特開２００３−２１０２８４号公報
【発明の開示】
【発明が解決しようとする課題】
【０００３】  そのために、次のような問題点があった。
（ィ）椅子を使用する場合、尻を浮かせるので座高が高くなり座している人達の中で極端に上背が高くなってしまう。
（ロ）椅子は、持ち運ぶ場合に、大きくて重かった。
（ハ）椅子は、使用する場合に、見た目が見苦しい。
本発明は以上の問題点を解決しようとするものである。
【課題が解決するための手段】
【０００４】  正座した時に足首の下に敷くまくらであって、内部にウレタンや綿材などを詰めた袋からなる本体の２個を一対とし、紐で連結する。２個の本体を正座した時に両足それぞれの足首の下に敷いて使用する。以上を特徴とする正座時におこり易い足の痺れ、足首のタコ、色素沈着を柔らげる足首まくらである。
【発明の効果】
【０００５】  本発明は、本体を足首の下に敷くことによって、両足首にかかる体重が本体に吸収される。これにより、正座時の足の痺れや足首に出来るタコ、色素沈着を柔らげることができる。したがって、長時間の正座に耐えられる。
また、本体が紐で結ばれているので、使用中体を動かしたり、速やかに収納したい時、バラバラになることはない。
【発明を実施するための最良の形態】
【０００６】  以下、本発明の実施の形態を説明する。
（ィ）表面をカバー地（４）で被覆した袋状のまくらからなる本体（１）は、直方体状であって上面は膨らみを有する。
（ロ）本体（１）の内側をウレタン材（３）にし、ウレタン材（３）の内部に綿又はスポンジなどの弾力材（２）の詰物をし、両側の口部に飾り（５）を施す。
（ハ）本体（１）の２個を一対とし、本体（１）は紐（６）で連結する。
本発明は、以上の構成よりなり、本発明を使用する時は、正座する時に、一対で構成さされる本体（１）を個別に両足の各足首の下に敷いて使用する。
なお携帯する時は、一対をそのままバックなどに入れたり、別に用意する袋に一対を収納してコンパクトにまとめてもよい。
【図面の簡単な説明】
【０００７】
【図１】本発明の斜視図
【図２】本発明のＡ−Ａ断面図
【図３】本発明の使用状態を示す斜視図
【符号の説明】
【０００８】  １  本体
２  弾力材
３  ウレタン材
４  カバー地
５  飾り
６  紐
【図１】
2008043710.tif 000003
【図２】
2008043710.tif 000004
【図３】
2008043710.tif 000005
(57)【要約】【課題】  携帯電話用急速充電器を内蔵した、マスコットキャラクターを提供する。【解決手段】  携帯電話用急速充電器を、マスコットキャラクターなどの形状にし、携帯電話用ストラップやキーホルダーとしても使用できる、携帯電話用急速充電器。【選択図】図１
2008043708.tif 000002
【特許請求の範囲】
【請求項１】
携帯電話用急速充電器を、マスコットキャラクターなどの形状にし、携帯電話用ストラップやキーホルダーとしても使用できる、携帯電話用急速充電器。
【発明の詳細な説明】
【技術分野】
【０００１】本発明は、携帯電話用急速充電器を内蔵した、マスコットキャラクターである。
【背景技術】
【０００２】従来、携帯電話用急速充電器があった。
【発明の開示】
【発明が解決しようとする課題】
【０００３】イ）携帯電話用急速充電器使用時の、見栄えが悪い。
ロ）普段、持ち歩くのが面倒。
ハ）一度、購入して使ったら、家に忘れがちで、何度も購入してしまう。
【課題を解決するための手段】
【０００４】  携帯電話用急速充電器を、マスコットキャラクターなどの形状にし、携帯電話用ストラップやキーホルダーとしても使用できるようにする。
【発明の効果】
【０００５】  本発明は、携帯電話の充電がなくなった時に、携帯電話用ストラップやキーホルダーとして持ち歩く為、緊急時に対応できる、又、充電中も見栄えが良い。
【発明を実施するための最良の形態】
【０００６】  携帯用急速充電器３を、マスコットキャラクター１などの形態にし、連結金具２を設け、又、乾電池４を交換できるようにする。
【図面の簡単な説明】
【０００７】
【図１】  本発明の斜視図である。
【図２】  本発明の一部を取り除いた裏面図である。
【図３】  図２で取り除いた図である。
【図４】  本発明を携帯電話のストラップに付けた図である。
【図５】  本発明の使用時の図である。
【符号の説明】
【０００８】１  マスコットキャラクター
２  連結金具
３  携帯用急速充電器
４  乾電池
５  電池カバー
６  携帯電話
７  携帯電話用ストラップ
【図１】
2008043708.tif 000003
【図２】
2008043708.tif 000004
【図３】
2008043708.tif 000005
【図４】
2008043708.tif 000006
【図５】
2008043708.tif 000007
(57)【要約】【課題】家庭やホテルの浴室等で着衣するだけで岩盤浴に似た効果が得られる浴室用衣類の提供及びホテル等でこの衣類を活用する場合の管理システムの提供を目的とする。【解決手段】遠赤外線放射性組成物又は／及びマイナスイオン発生組成物を有する布地からなる衣類であって、浴室にて着用するものであることを特徴とする。  ホテル等で使用する場合にはＩＣタグを衣類に取り付けてシステム的に使用状態を管理する。【選択図】  図１
2008002015.tif 000002
【特許請求の範囲】
【請求項１】
遠赤外線放射性組成物又は／及びマイナスイオン発生組成物を有する布地からなる衣類であって、浴室にて着用するものであることを特徴とする浴室用衣類。
【請求項２】
布地が厚地のものからなるものであることを特徴とする請求項１記載の浴室用衣類。
【請求項３】
請求項１又は２に記載の浴室用衣類にＩＣタグを取り付けてあり、
前記衣類を入浴者に貸与する手段と、入浴後に回収する手段と、回収した前記衣類をクリーニングする手段と、クリーニングした前記衣類の使用回数をカウントする手段とからなる浴室用衣類の利用管理システム。
【発明の詳細な説明】
【技術分野】
【０００１】
遠赤外線やマイナスイオンを発生する衣類に関し、特に浴室等の比較的室温が高く、湿度の高い部屋で着用することで発汗作用、新陳代謝の活性化に有効な浴室用衣類に係る。
また、この衣類をホテル等で繰り返し利用する場合の管理システムに係る。
【背景技術】
【０００２】
岩石を温めることで放射される遠赤外線やマイナスイオンの作用により、体を芯から温め新陳代謝を促進し、発汗作用により体内の老廃物を排出し、リラクゼーション効果もあることが認められ、岩盤浴として脚光を浴びている。
しかし、家庭で岩盤浴施設を導入するのは価格面のみならずスペース面でも困難である。
また、岩盤浴は岩盤上に体を横にした部分にのみ効果があることから体をうつ伏せにしたり仰向けにしたりして、横になる状態を変えなければならない。
【０００３】
特開２００６−２５８７２号公報には、浴室等に敷設する岩盤浴用基材を開示するが施工が大変であり、衛生の維持が難しい問題もある。
【０００４】
【特許文献１】特開２００６−２５８７２号公報
【発明の開示】
【発明が解決しようとする課題】
【０００５】
本発明は背景技術に鑑みて、家庭やホテルの浴室等で着衣するだけで岩盤浴に似た効果が得られる浴室用衣類の提供及びホテル等でこの衣類を活用する場合の管理システムの提供を目的とする。
【課題を解決するための手段】
【０００６】
本発明の技術的要旨は、遠赤外線放射性組成物又は／及びマイナスイオン発生組成物を有する布地からなる衣類であって、浴室にて着用するものであることを特徴とする浴室用衣類の提供にある。
ここで浴室用としたのは、約３０〜４０℃前後の比較的温度が高く、湿度も８０〜９０％の比較的高い部屋で着衣することを趣旨としたものであって、必ずしも浴槽の有する部屋でなくてもよい。
また、遠赤外線放射性組成物及びマイナスイオン発生組成物は鉱石を微粒子にしたものや珪素系セラミックス等の各種セラミックスパウダー等遠赤外線を放射する組成物及びマイナスイオンを発生する組成物をいう。
必要に応じて、放射性の希土類元素含有鉱物が含まれていてもよい。
これらの遠赤外線放射性組成物及びマイナスイオン発生組成物は、繊維に混紡糸、溶触紡糸等の工程を経て練り込んでもよく、軟質樹脂基材に混練して布地に付着させてもよい。
本発明においては、多くの量の遠赤外線放射性組成物等を含有できて、発汗作用を促進する観点から綿やレーヨン等の厚地の布地を用いた衣類が好ましい。
【０００７】
衣類のタイプとしては浴室等で着たり、脱いだりしやすいものがよく、前ボタンのあるシャツやＴシャツであってもよく、チョッキタイプでもよく、パンツタイプでもよい。
【０００８】
遠赤外線放射性組成物等を繊維に練り込んだ衣類は繰り返し洗濯使用が可能であることから、家庭的に使用する場合のみならずホテルや旅館等において使用者に貸し出し繰り返し使用が可能となる。
このような場合に、前記浴室用衣類着用効果を維持管理する必要が生じる。
そのような場合の管理システムとしては、請求項１又は２に記載の浴室用衣類にＩＣタグを取り付けてあり、前記衣類を入浴者に貸与する手段と、入浴後に回収する手段と、回収した前記衣類をクリーニングする手段と、クリーニングした前記衣類の使用回数をカウントする手段とからなる浴室用衣類の利用管理システムを特徴とする。
【発明の効果】
【０００９】
本発明に係る浴室用衣類は、家庭やホテル等の浴室にて着衣するだけで衣類が体の芯から温め、新陳代謝を促進し、発汗作用により汗とともに老廃物を体外に排出する効果がある。
【００１０】
ホテルや旅館等にて利用者に貸し出すこともでき、そのような場合に本発明においては衣類にＩＣタグを取り付け、使用回数をカウントすることで、浴室用衣類の品質の維持が容易であり、衛生管理にも優れる。
【発明を実施するための最良の形態】
【００１１】
図２に本発明に係る浴室用衣類１０の例を示す。
本発明に係る浴室用衣類（以下単に衣類と称する）は布地に遠赤外線放射性組成物又は／及びマイナスイオン発生組成物を含有している限りにおいてシャツタイプでもパンツタイプでもよく、図２のシャツに限定されない。
図２に示した衣類１０の例は着脱衣しやすいように前ボタン１１を設けたタイプである。
衣類１０の布地は繊維にセラミックスパウダーを練り込み、混紡糸した厚みのあるものを用いてある。
【００１２】
家庭の浴室を約４０℃位に温かくし、この衣類を着ると体の芯から温まり多量の汗がでる。
従って、５〜２０分位着衣後にはそのまま浴室で脱衣して休憩を挟むのがよい。
これにより家庭で気軽に岩盤浴に似た効果を楽しむことができる。
【００１３】
本発明に係る衣類１０はホテルや旅館で客に貸し出すことができる。
その場合の管理システムの例を図１に示す。
貸し出す衣類にＩＣチップを組み込んだＩＣタグを取り付け、使用開始日、価格等の各種データを入力する（ステップ１）。
ホテル等の利用客が自室の部屋で利用する場合、又は旅館等の大浴場にて客が利用する場合にこの衣類を入浴者に貸与し（ステップ２）、必要に応じて利用者情報を入力する。
次にステップ３として入浴後に利用者から使用済みの衣類を回収する。
この際に必要に応じて利用料の精算処理し、回収日等を入力する。
回収した衣類はクリーニングに出す（ステップ４）。
クリーニングされた衣類は、ギズや汚れのチェック、ＩＣタグにより使用回数等をチェックする。
使用回数等が基準内であれば、貸与に再使用し、基準から外れる項目があれば廃却処分する（ステップ５）。
このような管理システムを構築したことによりホテル等でクリーニングを繰り返しながら繰り返し利用できるだけでなくＩＣタグに基づいて必要な項目を管理することができて、効能の維持が容易になる。
【図面の簡単な説明】
【００１４】
【図１】浴室用衣類の管理システムのフローチャートを示す。
【図２】浴室溶衣類の例を示す。
【符号の説明】
【００１５】
１０    浴室用衣類（シャツ）
１１    ボタン
【図１】
2008002015.tif 000003
【図２】
2008002015.tif 000004
(57)【要約】【課題】  ゴム手袋で炊事、洗濯をしているときに、ゴム手袋の開口部が手首のあたりまでずり落ちてくることがある。それを解消するための道具であり、さらに使用後に効果的に干すことができる道具を提供する。【解決手段】  長尺状の弾力板（３）の上部にクリップ（２）を、下部にクッション（４）を設けた、ゴム手袋のずり落ち防止具。【選択図】図３
2008002044.tif 000002
【特許請求の範囲】
【請求項１】
長尺状の弾力板の上端に留め具を設けたものであり、弾力板は下部を任意のゴム手袋に挿入し、留め具でゴム手袋開口部に留めた状態で手に装着することにより、開口部のずれ下がりを防止するものであり、折り返すことでその弾力性により開口部を開いた状態を維持することができるものであることを特徴とする、ゴム手袋のずり落ち防止具。
【請求項２】
弾力板の下端に緩衝材を設けたことを特徴とする、請求項１記載のゴム手袋のずり落ち防止具。
【請求項３】
弾力板の上部に吊持部を設けたことを特徴とする、請求項１または２記載のゴム手袋のずり落ち防止具。
【発明の詳細な説明】
【技術分野】
【０００１】  この発明は、ゴム手袋を使用する際、手首から開口部までがずり落ちることを防止するための道具であり、さらに使用後のゴム手袋の開口部を開いた状態にし、効果的に干すことのできる、ゴム手袋ずり落ち防止具である。
【技術背景】
【０００２】  従来、ゴム手袋のずり落ちを防止する道具はなく、強いて言えば手首上部部分に輪ゴムなどをして、腕に取り付ける方法などでしのいでいた。
【発明の開示】
【発明が解決しようとする課題】
【０００３】  そのために次のような問題点があった。
イ．  ゴム手袋はしばらく使ううちにゴムの張りがなくなり、手首より上部分がずり下がってしまい、ゴム手袋開口部（６）から水などが入りやすくなってしまう。
ロ．  さらに、ゴム手袋を干す際に、ただ単にゴム手袋開口部（６）の一部をクリップなどで留め干したとしても、手袋の内側同士がくっついてしまい、内側をよく乾燥することができなくなってしまう。
ハ．  また、輪ゴムなどで開口部分を留めたとしても、手の動きによって輪ゴムが開口部の上にはずれたり、下に下がりすぎてしまい意味をなくす場合も多い。しかも一度位置がずれると、また手袋を伸ばしたりして輪ゴムをはめ直さなければならないなど、面倒なことも多い。
本発明は、以上の欠点を解決するために発明されたものである。
【課題を解決するための手段】
【０００４】  長尺状の弾力板の上部にクリップを、下端にクッションを設ける。以上のことを特徴とする、ゴム手袋のずり落ち防止具である。
【発明の効果】
【０００５】  本発明品を使うことによって、手袋の開口部（６）より手の甲までを、弾力板（３）が骨のようになり手袋（５）を支えるので、開口部部分が手首までずり落ちてこない。さらに手袋の使用後には、弾力板（３）を手袋の内側対面にそり返すことで開口部（６）を開いた状態に維持し、手袋の内側同士がくっついてしまうのを防止しながら干すことができる。
クッション部分に緩衝材を利用することにより、手袋（５）装着時に手の甲部分の保護とすべり止めの効果があり、上記のように干した場合、緩衝材により手袋の生地を傷めることがない。
フック（１）等の吊持具を利用することで、吊るして干すことができる。
【発明を実施するための最良の形態】
【０００６】  以下、本発明の実施の形態について説明をする。
本発明は長尺状の弾力板と、弾力板上部付近に設けられたクリップと弾力板最上端に設けられたフックとで構成される。
（イ）  弾力板（３）は任意のゴム手袋に挿入できる幅、厚さのものであり、挿入使用時において先端が手の甲付近に位置する長さとなった、弾力性を有するものである。
（ロ）  弾力板（３）の下端にはクッション材が設けられている。このクッション材としては、装着時において支障とならない厚みのものである。形状はとくに問わないが図１に示すように下辺部が水平であることが望ましい。
（ハ）  弾力板（３）の上端部にはフック（１）が一体に形成されている。弾力板（３）のフック（１）下位置にはクリップ（２）が設けられている。
（ニ）  なお、前記弾力板（３）の弾性は手に装着した使用時において、クリップで留められた状態で手袋開口部がずり落ちないものであり、反り返すことで開口部を開いた状態とするものである。
本発明は以上の構成よりなっている。
本発明はゴム手袋（５）の手の甲側開口部（６）に、弾力板（３）を手袋内に挿入した状態でクリップ（２）を留める。この状態で手袋をはめると、クッション（４）部は手の甲のあたりにとどまる。
この際、手と手袋の間の弾力板の弾性により、手首より上部分がずり下がりたるむことがなくなる。また、作業時の手首の動作に応じてたわむので、作業に支障を及ぼさない。
クッション材は使用後、保管する際や、乾かす際は図４に示すように弾力板（３）を手袋の内側でそり返し、フック（１）で吊るせば、手袋の内側までよく乾かすことができる。
【図面の簡単な説明】
【０００８】
【図１】本発明の正面図
【図２】本発明の側面図
【図３】本発明の使用状態を示す斜視図
【図４】本発明の使用状態を示す側面図
【符号の説明】
【０００９】１  フック
２  クリップ
３  弾力板
４  クッション
５  ゴム手袋
６  開口部
【図１】
2008002044.tif 000003
【図２】
2008002044.tif 000004
【図３】
2008002044.tif 000005
【図４】
2008002044.tif 000006
(57)【要約】      （修正有）【課題】破れやすい手の平の部分に布がないので長もちし、涼しくて、何事をするにも素手感覚で使えるように工夫した、外出のときに着用する、日焼け防止用の手っ甲を提供する。【解決手段】ＵＶカットの布地を下カバーを１枚と下カバーはフリル状になる部分と折返し部分と折返し部分をつづけて１枚に裁断し、下カバーと上カバーを、それぞれ左右両端を合わせて縫い筒状にし、折返し部分の端にステッチをかけ、そこに手首回りの寸法のゴムを入れる。【選択図】図１
2008002045.tif 000002
【特許請求の範囲】
【請求項１】
ＵＶカットの布地を２重にしたことが特徴で、日焼けを強力に防止して、破れやすい手の平の部分に布がないので長もちし、涼しくて、何事をするにも素手感覚で使える、日焼け防止用の手っ甲。
【発明の詳細な説明】
【技術分野】
【０００１】  本発明は、ＵＶカットの布地を２重にしたことが特徴で、日焼けを強力に防止して、破れやすい手の平の部分に布がないので長もちし、涼しくて、何事をするにも素手感覚で使えるように工夫した日焼け防止用手っ甲で、外出のとき手の甲の日焼け防止用の手っ甲に関するものである。
【背景技術】
【０００２】  従来、日焼けを防ぐための薄いニットの布地の手袋や、指先をカットした手袋があった。
【発明の開示】
【発明が解決しようとする課題】
【０００３】  そのために、次のような問題があった。
（イ）布地が薄いものは日ざしが通りやすく、しかもニット布地は、肌に付着し暑い。
（ロ）指先をカットしたものは、その部分が日焼けする。
本発明は、これらの問題点を解決しようとするものである。
【課題を解決するための手段】
【０００４】  ＵＶカットの布地を２重にして、日焼けを強力に防止し、破れやすい手の平の部分がないので、長持ちし、何事をするにも素手感覚で使える、日焼け防止用の手っ甲である。
【発明の効果】
【０００５】  散歩に、車の運転に、スポーツに、自転車に乗るときに、おしゃれで風が通りぬけて、つけているのを忘れるくらい涼しいものである。
【発明を実施するための最良の形態】
【０００６】  以下、本発明の実施の形態について説明する。
（イ）下カバー（２）を１枚と上カバー（１）はフリル状になる部分（３）と折返し部分（４）と折返し部分（５）をつづけて１枚に裁断する。
（ロ）下カバー（２）と上カバー（１）を、それぞれ左右両端を合せて縫い筒状（１１）にする。
（ハ）上カバー（１）の折り山（７）を折り、折り返し部分（４）を約５ｃｍ＋折り返し部分（５）を約１ｃｍにする。
（ニ）折返し部分（４）の端にコバステッチ（９）をかける。
約１ｃｍ上にもう１本（１０）ステッチをかける。
そこに手首回りの寸法のゴム（６）を入れる。
（ホ）上カバー（１）と下カバー（２）の端を約２〜３ミリの三ツ折りにして端ミシン（１２）をかける。
（ヘ）指通しを（８）つける。
本発明は以上のような構成である。
これを使用するときは、筒状のところに手を通し、通しすぎないように、風でめくれ上らないように、中指を指通し（８）に通して使用する。
【図面の簡単な説明】
【０００７】
【図１】  本発明の手の甲側の斜視図
【図２】  本発明の手の平側の斜視図
【図３】  本発明の使用状態を示した斜視図
【図４】  本発明の縫製前の説明図
【符号の説明】
【０００８】      １  上カバー
２  下カバー
３  フリル状になる部分
４  折返し部分
５  折返し部分
６  ゴム紐を通す部分
７  折り山
８  指通し
９  コバステッチ
１０  ステッチ
１１  つなぎ縫い目
１２  端ミシン
【図１】
2008002045.tif 000003
【図２】
2008002045.tif 000004
【図３】
2008002045.tif 000005
【図４】
2008002045.tif 000006
(57)【要約】【課題】  今まで玉掛が間題とされていながらもサポートのすり抜け落下による事故や人身災害は減少しない。【解決手段】  サポート格納時に内部パイプをロックすることによりすり抜け落下による事故や人身災害を防止することができる。【選択図】図２
2008002255.tif 000002
【特許請求の範囲】
【請求項１】
建築用サポートは外部パイプに内部パイプをスライドさせ使用する資材であるが、外部パイプ中に内部パイプを格納した際に、内部パイプが固定されないためクレーン等による揚重作業の際に少し傾いただけで内部パイプがすり抜けて落下による資材の破損、さらに人身災害等の事故が起きている
【請求項２】
建築用サポートを格納状態にした時に内部パイプが外部パイプからすり抜けない様にロックされて、作業を行う際は人間の手で軽く引き出せる様に球体又は板バネ又はスプリング等を用いて内部パイプ凹部を利用した構成により、内部パイプのすり抜け落下による資材の破損や人身災害等の事故を防止する安全な建築用サポートを提供する。
【発明の詳細な説明】
【技術分野】
【０００１】  外部パイプにボルト用の穴を設けてボルトの調整により、内部パイプのすり抜けをロックして防止する。【０００２】  内部パイプをロックするボルトの中は空洞であって空洞部には、スプリング及び球体が入り飛び出さない様に止めリングにより球体がボルト端部より突き出た状態で固定する。【０００３】  スプリングと球体が内蔵されその球体がボルト端部より突き出させることによって、外部パイプへ取り付けた際に突き出した球体の一部が外部パイプ内側へ凸部になり、内部パイプに開いている穴が凹部になるため、内部パイプは、自然にロックされる。【０００４】  調整ボルト端部より突き出した球体は、スプリングで押された状態にあっても内部パイプは、容易に引き出すことが可能であるので、扱い方も従来どうり使用すことが出来る。
【発明が解決しようとする課題】
【０００５】  従来の建築用サポートは、型枠工事作業以外は、内部パイプの状態は、不安定な状態にあるためにクレーン等による揚重作業の際に外部パイプより内部パイプがすり抜けて、落下による人身災害等の事故が発生している。
【課題を解決するための手段】
【０００６】  本発明は、不安定であった建築用サポート内部パイプを外部パイプ内側に凸物を設けることにより内部パイプはすり抜けをロックされ、安全な状態で格能され、クレーン等による揚重作業中の落下による人身災害等の事故を防ぐことができる。
【発明の効果】
【０００７】  建築作業現場は１件でも大くこの様な災害を減らすことにより、作業をストップさせられることなくクレーン等による揚重作業を安全に行うことが出来る。
又、作業員に対しても、落下による人身災害といった心配が無く安心して安全に作業を行うことができる。
【発明を実施するための最良の形態】
【０００８】  以下、本発明の実施の形態は、図１〜図２に基づいて説明する。【０００９】  図１は、サポート外部パイプであり、従来無かった調整ボルト用の穴を設け調整ナットを溶接で固定する。
調整ボルトの中は空洞で、スプリングと球体が入り球体が調整ボルト端部より突き出させて、止メリングで球体を止める。【００１０】  Ｂ調整ボルトにＣ固定用ナットを取り付け、Ａの調整ナットに締め付けることによりＢ調整ボルト端部より突き出たＤ球体が外部パイプ内側に飛び出した状態でＣ固定用ナットでＢ調整ボルトを固定する。【００１１】  図２はサポート内部パイプであり、従来からあるピン差し込み用穴Ｅに外部パイプ内側に飛び出したＤ球体が入りサポート格納時の内部パイプすり抜けを防止をする。
【実施例】
【産業上の利用可能性】
【００１２】  安全第１、安全が優先しなければいけない建築現場等で、その安全優先の効果を発揮する
【図面の簡単な説明】
【００１３】
【図１】本発明のサポート外部パイプ図
【図２】本発明の全体図
【図１】
2008002255.tif 000003
【図２】
2008002255.tif 000004
(57)【要約】      （修正有）【課題】  従来の積雪時における除雪作業は、単なるラッセル車＆トラックによる処分場への搬送のみであった。単なる除雪作業から、次のプロセスを活かし乍ら、ロスの無い方策として降雪を、自然の恵みとして浮け止め、これを最大限に多目的活用する為である。全自動システムとして路面積雪搬送車→吸雪装置→圧縮雪氷機→圧雪氷庫→貯蔵庫→搬送車による処理プロセスメリットを実現することを目的とするものである。【解決手段】雪上ラッセルで積雪を集雪する時からプレス雪を雪氷化しながら貯蔵・積載し搬送するフロ−としてプレス雪・雪氷・貯氷庫・氷排出口までを、プロセス化した車両としてシステム化装置とするよう設けたものである。又、圧雪氷を冷媒用・氷菓子等に加工産業システム化をし易くしようとするよう設けたものである。【選択図】図１
2008002256.tif 000002
【特許請求の範囲】
【請求項１】
積雪時には、積雪をトラック等によりスム−ズに破棄現場まで搬送する事が望まれる。これを効率良く、省人化と併せスピ−ディに行う事が出来るようにピストンプレス雪氷車により、雪上ラッセルから、プレス雪・雪氷・貯氷庫・氷排出口までを、プロセス化した車両、これが即ち、圧縮スノ−カ−である。
【発明の詳細な説明】
【技術分野】
【０００１】  本発明は、雪上ラッセルからプレス雪・雪氷・貯氷庫・氷排出口までをプロセス化した車両に関するものである。
【背景技術】
【０００２】  従来の積雪時における除雪作業は、単なるラッセル車＆トラックによる処分場への搬送のみであった。
【発明の開示】
【発明が解決しようとする課題】
【０００３】  以上に述べた従来の単なる除雪作業から、この搬送プロセスを活かし乍ら、ロスの無い方策として降雪を、自然の恵みとして浮け止め、これを最大限に多目的活用するシステムとして次記のフロ−を圧縮スノ−カ−内でプラント処理する。フロ−チャトを下記に示す
2008002256.tif 000003
これによりシステムメリットを実現することを目的とするものである。【０００４】  本発明は、このような従来の積雪処理方法から、無駄のない、より効率的な除雪処理と、その圧雪のプロセスをシステム化する為に実現することを目的とするものである。
【課題を解決するための手段】
【０００５】  そして、本発明は上記目的を達成するために、積雪を集雪する時からプレス雪を雪氷化しながら貯蔵・積載し搬送することも可能とするよう設けたものである。即ち、前記のプロセスを車両内でのフロ−としてシステム化装置として設けたものである。
【発明の効果】
【０００６】  上述したように本発明のもたらすメリットを列記する。
2008002256.tif 000004
燃料・石油等の使用量の削減が出来る。
ｂ大雪時の積雪処分場確保に容積的なゆとりとなる。又融雪期間を延長できる事となる。
ｃエネルギ−消費の低減による、排出ガス量とその汚染の減少。
ｄタイヤ摩耗の減少及び、道路面の摩耗・紛塵の減少。
ｅ雪氷の活用によるメリットが生まれト−タルコストの削減となる。等々
上記の通り道路状況や環境に与える影響は甚だ大きく環境汚染の改善の必要性は申すまでもない。エネルギ−等諸資源の有効活用による総合的寿命、消耗品等の延命にも繋がる、国家的メリットが得られるものである。
【発明の実施するための最良の形態】
【０００７】  以下、本発明の実施の形態を図１に基づいて説明する。
圧縮スノ−カ−内の処理のシステムフロ−チャ−トで示すように、積雪から１：集雪機へ取り込み２：吸雪機を経て３：圧雪機によりプレスされた雪氷となる、これを一時的に貯蔵する４：圧雪氷・ストックル−ムへ５：無人コントロ−ルシステムの自動オ−トリフト機能付により集積する。尚、扉の開閉は６：パワ−ゲ−ト式とし、７：トレ−ナ−機能付の場合は、４から７へストックさせる、又、その運転はリモ−ト８：運転・操作室とし、別途の専用雪氷トレ−ナ−への自動搬出も可能とするものである。
【０００８】  圧縮雪氷機のプレス型は原則として舛・長方形他として、懸垂用フックをセッティング可能とする。又、雪氷庫内の無人コントロ−ルはモジュ−ル的に集積出来る様に、ラック倉庫システム式等のリモコン操作可能とし、且つ、各雪氷毎に凍結着しない為に雪氷表面を断片的に離隔材によりホロ−するものである。
【図面の簡単な説明】
【０００９】
【図１】本発明の実施形態を示す圧縮スノ−カ−の側面から見た外観図
【符号の説明】
【００１０】  １  集雪機
２  吸雪機
３  圧雪機
４  圧雪氷。ストックル−ム
５  自動オ−トリフト機能付（ラック倉庫システム式等）
６  パワ−ゲ−ト式
７  トレ−ラ−機能付
８  運転・操作室
【図１】
2008002256.tif 000005
(57)【要約】【課題】  従来は作業工事現場などの安全を守るガードバーは搬出、搬入、整理整頓には不便がある、又チエンはカラコーンとカラコーンの間で中たるみがあるために中間点では低く容易にまたいで通ってしまうといった悪い点などがある。【解決手段】各リンク毎にはさみ込み爪（３）を設ける。さらに左右の爪の間をテーパー状にする。一方のリンクの反対面には、はさみ込み爪（３）の間に入るようにリンクを両面から平行かつ外部より内面に向けてテーパーカット（２）にする。こうして各チエンの組み合わせた時にチエーンを左右から引っ張ることでリンク同士が完全にかみ合ってチエンが棒状態になり、たるまないガードバーの役目をする。【選択図】図８
2008002252.tif 000002
【特許請求の範囲】
【請求項１】
チエーンを棒状の固定するため各リンク毎にはさみ込み爪（３）を設けさらに左右の爪の隙間をテーパー状にすることを特徴としたかみ合わせチエーン。
【請求項２】
請求項１のリンクの反対面をはさみ込み爪（３）の隙間に合致するようにリンクを両面から平行に且つ外部より内面に向けてテーパーカット（２）にしたことを特徴としたかみ合わせチエーン。
【発明の詳細な説明】
【技術分野】
【０００１】  本発明は、かみ合わせチエンに関するものである。
【背景技術】
【０００２】  本発明は主に作業工事現場などで事故などが起こらないように安全に守るための安全柵としてカラコーンとカラコーンの間をチエーンで仕切るものである。従来ではガードバーの使用が多くある。しかしガードバーは一定の長尺物であり搬出、搬入に重ばり、又倉庫でも整頓に際し不便が多い。【０００３】  一方従来のカラコーンとカラコーンの間をチエーンでガードするやり方もあるが、チエーンは中間で中たるむのが欠点である。【０００４】  又他にも、継ぎ目無しもしくは一体構造の装飾、電気装飾などのものが、プラスチック製、金属製で製造されて活用されているが、相互のかみ合わせに難があり、数個を超えると中折れを来たし、使い途が限定されていた。
【特許文献】  特開昭５０−１２７８７１  特開平０３−１５５４３０  特開平０６−０７９３９６  特開平１０−３１５７２２  特表２００１−５０３８３７
【発明の開示】
【発明が解決しようとする課題】
【０００５】  従来はやはり作業工事現場などでの安全を守るガードバーは搬出、搬入と整理などの不便さがある。又チエーンは中たるみがあるために中間点では低く容易にまたいで通れてしまうと言った悪い問題点がある。
【課題を解決するための手段】
【０００６】  チエーンを棒状にするために各リンク毎にはさみ込み爪（３）を設ける。さらに左右爪の間をテーパーにする、一方リンクの反対面には、はさみ込み爪（３）の間にリンクが入るようにリンクの両面からカットする。なお、外部より内面に向けてテーパーカット（２）にする。こうして各チーンとして組合った時にチエーンを左右に引っ張る事でリンク同士がかみ合ったチエーンが棒状になるものである、またかみ合ったチエーンを戻すには引くのではなく、チエーンの左右から衝撃を少々与えればチエーンのかみ合わせがほぐれるというものである。
【発明の効果】
【０００７】  作業工事現場などが終了の時など棒状のチエーンをほぐし麻袋などに収納して持ち帰ることが出来、小スペースにて整頓も容易に出来る効果がある。又装飾、電気装飾などにも枠とかバーなどを使わないで本発明のチエーンのみで組み立てが可能であり効果が大きい。
【発明を実施するための最良の形態】
【０００８】  チエーンの各リンク毎にはさみ込み爪（３）を設ける。さらに左右の爪の間をテーパーにする。一方リンクの反対面には、はさみ込み爪（３）の間にリンクが入るようにリンクの両面からカットする。なお外部より内面に向けてテーパーカット（２）にする。こうして複数の各チエーンとして組合った時にチエンを左右に引っ張る事でリンク同士がかみ合ってチエンが棒状になる、このように棒状のチエンで色々の工事現場とか通行止めなどに安全を守るものである。また、かみ合ったチエーンを戻すには、引くのではなく、チエーンの左右から衝撃を少々与えればチエンのかみ合わせがほぐれるというものである。搬出、搬入も収納の便利になるものである。
【図面の簡単な説明】
【０００９】
【図１】  かみ合わせチエンの表平面図
【図２】  かみ合わせチエンの裏平面図。
【図３】  １リンクチエン拡大図。
【図４】  Ｂ，Ｂ′の断面図。
【図５】  Ａ，Ａ′の断面図。
【図６】  従来のガードバーとカラコーン断面図。
【図７】  従来のチエン式とカラコーン断面図。
【図８】  本発明のかみ合わせチエンを使用した側面図。
【図９】  チエンのかみ合わせをほぐした状態。
【符号の説明】
【００１０】  １          チエーン
２          テーパーカット
３          はさみ込み爪
４          カラコーン
５          ガードバー
６          キャップコン
【図１】
2008002252.tif 000003
【図２】
2008002252.tif 000004
【図３】
2008002252.tif 000005
【図４】
2008002252.tif 000006
【図５】
2008002252.tif 000007
【図６】
2008002252.tif 000008
【図７】
2008002252.tif 000009
【図８】
2008002252.tif 000010
【図９】
2008002252.tif 000011
(57)【要約】      （修正有）【課題】従来からの庇は、日光を遮る調節が出来なかった為、新たに日よけとなる簾だれ等を設置することも多く、又、風雨の影響を受けて破損する事もあるので、常に維持管理が必要であった。そこで、新たに日よけを設置する必要が無く、従来の庇の形態で日よけ効果を高める事を課題とする。【解決手段】日よけ材装着庇は、庇２に日よけ材３を装着し、日よけ材操作ロープ１１により、ボルト連動滑車１０を回転させて、回転ボルト７が回転することにより、日よけ材３に固着した連動ナット６が移動運動に転換されて日よけ材３がスライド移動する為、日よけ材３の移動操作も容易となり、日光を遮る調節の解決手段となる。【選択図】図３
2008002254.tif 000002
【特許請求の範囲】
【請求項１】
日よけ材を庇に装着し、日よけ材のスライド移動を可能にした庇。
【発明の詳細な説明】
【発明の詳細な説明】
【技術分野】
【０００１】  本発明は、日よけ材のスライド移動を可能した、日よけ材を装着した庇に関するものである。
【背景技術】
【０００２】  従来からの庇は、日光を遮る調節が出来なかった為、新たな所に日よけとしてブラインドや簾だれを吊り下げたり、立てかけたりして日光の差し込む量を調節していたために室内の開放感も損なわれていた。又ブラインドや簾だれは風が吹くと揺れたり移動したりする為、窓枠に紐などで固定して使用することも多く、従来からの日よけはスッキリとした使用感が無かった。
【発明が解決しようとする課題】
【０００３】  このような従来からの庇は、建築時の固定状態のままである為、日光を遮る調節が出来なかった。そこで、本発明は、新たな所に日よけを設置すること無く、日光を遮る調節が出来ることを課題とする。
【課題を解決するための手段】
【０００４】  上記課題を解決するために、請求項１記載の日よけ材を庇に装着し、日よけ材のスライド移動を可能にした庇は、庇に取付けた回転ボルトを回転させることにより、日よけ材に固着させた連動ナットが移動し、日よけ材のスライド移動に転換される為、日光を遮る調節が容易にできる解決手段となる。
【発明を実施するための最良の形態】
【０００５】  以下、本発明の実施の形態を、図面に基づいて説明する。【０００６】  図１には、本発明の日よけ材装着庇の実施形態が示されている。【０００７】  この日よけ材装着庇は、庇２と、日よけ材３をスライド移動させる為の回転ボルト７、連動ナット６、ボルト連動滑車１０、日よけ材操作ロープ１１から構成されている。【０００８】  図３は、日よけ材操作ロープ１１によりボルト連動滑車１０を回転させ、ユニバーサルジョイント９で連結した回転ボルト７を回転させることにより、日よけ材３に固着させた連動ナット６の移動運動に転換されて、日よけ材３のスライド移動の実施形態となる。日よけ材支持ローラー４は日よけ材３のスライド移動時の支持ローラーであり、回転ボルト軸受金具５及び中空支持金具８は、回転ボルト７の回転を保持する支持金具である。
【発明の効果】
【０００９】  本発明は以上に説明したような構成により次のような効果を奏する。
従来の庇は、建築時の固定状態のままであり、日光を遮る調節が出来なかった為、新たに日よけとしてブラインドや簾だれの設置が必要であった。又、新たに設置した日よけにより室内の開放感も損なわれ、風雨による破損もあり、維持管理の必要があった。
請求項１に記載されている発明は、日よけ材を庇に装着したことにより日よけを必要とする季節、天候、時間の経過に対応して日よけを簡単に設置することが出来る為、本発明の効果が得られる。
【図面の簡単な説明】
【図１】  本発明の、日よけ材装着庇の斜視図である。
【図２】  日よけ材をスライド移動させて、張出したところの側面図である。
【図３】  日よけ材をスライド移動させて、張出したところの断面構造図である。
【図４】  日よけ材をスライド移動させて、引込んだところの断面構造図である。
【符号の説明】
１  日よけ材装着庇
２  庇
３  日よけ材
４  日よけ材支持ローラー
５  回転ボルト軸受金具
６  連動ナット
７  回転ボルト
８  中空支持金具
９  ユニバーサルジョイント
１０  ボルト連動滑車
１１  日よけ材操作ロープ
１２  外壁
１３  窓
【図１】
2008002254.tif 000003
【図２】
2008002254.tif 000004
【図３】
2008002254.tif 000005
【図４】
2008002254.tif 000006
(57)【要約】【課題】本発明は、融雪装置に関し、特に雪寒地域の河川等に架けられた既存のトラス構造の鉄橋上部に横断方向に架構されている梁上面の降積雪を地下水等温水の熱を利用して梁上面に被覆せしめたアルミ製板全面にこの熱を効率よく伝達することにより梁上面の降積雪を溶かそうとするものである。【解決手段】既存の鉄橋上部の横断方向に架構されている梁１の上面に熱伝導性大なるアルミ製樋２を被覆装着させ、アルミ製樋２の内面に地下水温水を流す、又は通水管４を装備したアルミ製板３の場合はその通水管４内に地下水等温水を強制的に通水させてその熱をアルミ製板３全面に伝導せしめる事により梁１上面の降積雪を溶かす事ができる。【選択図】図３
2008002250.tif 000002
【特許請求の範囲】
【請求項１】
熱伝導性の良い金属板を樋形状にして地下水等温水を樋内面に流して降積雪を溶かす構造の融雪装置
【請求項２】
熱伝導性の良い金属板に地下水等温水の通水管を装備した構造の降積雪を溶かす構造の融雪装置
【発明の詳細な説明】
【発明に属する技術分野】
【０００１】本発明は融雪装置に関し、河川等に架けられたトラス構造の鉄橋上部に横断方向に架構されている梁上面の降積雪を地下水等温水熱で効率的に溶かすのに利用する。
【背景技術】
【０００２】元来、雪寒地域の河川に架けられたトラス構造の鉄橋上部に横断方向に架構されている梁上面に積雪、着氷現象が起きて、その雪氷が落下することにより通行車両や通行人への障害事故が多発しております。
従来、その対処法として、梁上面に山型の屋根を設置し、滑雪させる様、工夫されていたが、外気温が零度以下になると氷結現象が起きて効果薄であった。又その屋根に滑雪用布状シートを貼り付け試みたが同様であった。
他に電気式ヒーターを梁材に接着し融雪を試みたが多大なコストを要した上に耐用年数に問題が生じた。現在はその都度、交通妨害となるが高所作業車を用いて人力で雪降ろしを行なっているのが現状である。
【発明の開示】
【発明が解決しようとする課題】
【０００３】高架構梁上面の積雪、着氷を低コストで融雪できれば問題を解決できる。【０００４】本発明は、前記した滑雪融雪装置の数々の欠点を解決し、地下水等温水熱を利用して、初期費用も少なく、ランニングコストも少なくて済む融雪装置を提供しようとするものである。
【課題を解決するための手段】
【０００５】本発明の請求項１に記載の発明は、高架構梁１の上面に、熱伝導性大のアルミ板製の樋２を被覆装着させ、樋内部に地下水等温水を少量流す事により温水熱を樋全面に伝導させて降積雪を溶かす事が可能となる手段を採用した。【０００６】本発明の請求項２に記載する発明は熱伝導性大のアルミ製板３に地下水等温水の通水管４を備えた構造で同様の効果を得る手段を採用した。
【発明の効果】
【０００７】本発明によって、極めて少量の地下水等温水を利用して、従来の滑雪装置や融雪装置では考えられなかった初期費用およびランニングコストで融雪する事が可能となる。
【実施例】
【０００８】  実施例を図３にて説明する。鉄橋上部に横断方向に架構されている梁１上面にアルミ製の樋２を被覆装着し、梁１の中央交差部に均一に６方向に流れる様に分水桝部７を設け、それぞれの仕切り部内に地下水等温水を送水管５を介して分水ノズル６より放水する。
アルミ製の樋２の内面を流れる温水は樋全面に伝熱しながら又、樋２上面の降積雪を溶かしながら鉄橋上部両端へと流れ落ちる。
架構されている梁１の勾配が大きく、樋形式では対応不可能の時は通水管を装備した請求項２の物を被覆装着して強制的に地下水等温水を通して融雪を行なう。
【図面の簡単な説明】
【０００９】
【図１】  請求項１の断面図
【図２】  請求項２断面図
【図３】  橋架構梁融雪の実施例図
【符号の説明】
【００１０】      １  鉄橋上部の架構梁
２  アルミ製樋
３  アルミ製板
４  通水管
５  送水管
６  分水ノズル
７  分水桝
【図１】
2008002250.tif 000003
【図２】
2008002250.tif 000004
【図３】
2008002250.tif 000005
(57)【要約】【課題】固定スクロールに形成される背圧制御機構は背圧制御バネと背圧制御弁で構成されており、本来背圧制御弁は洩れが無いように設計されているが、バリ・欠け等により洩れが発生することにより一定圧力に達しない場合があり、低速低負荷条件において洩れ損失による効率低下が発生する。本発明は、前記従来の課題を解決するもので、本来の洩れの無い組立を実現し、同時に性能を向上させることのできるスクロール圧縮機を提供することを目的とする。【解決手段】背圧制御弁１１に弾性体のコーティング１４を設けることにより、洩れを回避する構成にする。本構成によって、背圧制御弁の洩れを無くすことができ、背圧室に一定以上の圧力を常に保つことができる。【選択図】図２
2008002282.tif 000002
【特許請求の範囲】
【請求項１】
鏡板に渦巻状のスクロールラップを直立形成した固定スクロールと、同じく鏡板に渦巻き状のスクロールラップを直立形成した旋回スクロールを持ち、前記旋回スクロールのラップ部と反対側に圧縮機および圧縮室内部とは圧力的に遮断された背圧室を形成し、前記圧縮室内部の圧力と背圧室内部との差圧を利用して前記固定スクロールと旋回スクロールの鏡板面を密着させることにより洩れ損失を低減させ、低速低負荷条件であっても高効率を実現するスクロール圧縮機で、前記固定スクロールに背圧室内部の圧力を制御するための背圧制御機構を持った構成において、背圧制御弁に弾性体のコーティングを設けたことを特徴とするスクロール圧縮機。
【発明の詳細な説明】
【技術分野】
【０００１】
本発明は、空調機、冷凍機等に使用されるスクロール圧縮機に関するものである。
【背景技術】
【０００２】
従来のスクロール圧縮機としては、鏡板に渦巻状のスクロールラップを直立形成した固定スクロールと旋回スクロールとを噛み合わせて円弧状の圧縮室を形成し、旋回スクロールを固定スクロールに対して自転を拘束した状態で旋回運動させることによって圧縮室を外周側から内周に向かって移動させながら容積を減じることで圧縮動作を行なわせるものがある。このスクロール圧縮機は旋回スクロールと固定スクロールとの噛み合わせ部から圧縮ガスが漏洩して効率低下の原因となるという問題点を有しており、従来から様々な対策が提案されている（例えば、特許文献１参照）。図３は前記特許文献１に記載された従来の密閉型圧縮機を示す断面図、図４はその背圧制御機構の拡大断面図である。
【０００３】
図３および４において３は固定スクロール、４は旋回スクロール、１０は固定スクロールに設けられた背圧制御機構であり、背圧室８がある一定以上の圧力に保たれるように動作することにより、固定スクロール３に旋回スクロール４を押し付け、洩れ損失を低減させている。
【特許文献１】特開２００５−４８６８５号公報
【発明の開示】
【発明が解決しようとする課題】
【０００４】
しかしながら、固定スクロールに形成される背圧制御機構は背圧制御バネと背圧制御弁で構成されており、本来背圧制御弁は洩れが無いように設計されているが、バリ・欠け等により洩れが発生することにより一定圧力に達しない場合があり、低速低負荷条件において洩れ損失による効率低下が発生する。
【０００５】
本発明は、前記従来の課題を解決するもので、本来の洩れの無い組立を実現し、同時に性能を向上させることのできるスクロール圧縮機を提供することを目的とする。
【課題を解決するための手段】
【０００６】
前記従来の課題を解決するために本発明のスクロール圧縮機は、背圧制御弁に弾性体のコーティングを設けるものである。
【０００７】
本構成によって、背圧制御弁の洩れを無くすことができ、背圧室に一定以上の圧力を常に保つことができる。
【発明の効果】
【０００８】
本発明のスクロール圧縮機によれば、背圧制御弁からの洩れを防止し、背圧室に一定以上の圧力を常に保つスクロール圧縮機を提供することができる。
【発明を実施するための最良の形態】
【０００９】
以下本発明の実施の形態について、図面を参照しながら説明する。
【００１０】
（実施の形態１）
図１は、本発明の実施の形態におけるスクロール型密閉圧縮機の断面図、図２はその背圧制御機構の拡大断面図である。
【００１１】
図１および２において、４は旋回スクロール、３は固定スクロールであり、噛み合わされて圧縮室９を形成する。６は冷媒を吸入する吸入孔、７は圧縮した冷媒を吐出する吐出孔、５は旋回スクロール４の自転を拘束するオルダム継ぎ手であり、回転軸２が電動機１により駆動されて回転することにより旋回スクロール４が旋回運動することによって圧縮を行なう。１０が固定スクロール３に設けられた背圧制御機構を示し、１１の背圧制御弁、１２制御用バネ、１３背圧ピン１４Ｏリングより成り立っており、旋回スクロール４の背面に設けられた８の背圧室と連通しており、背圧室８がある一定以上の圧力になると背圧制御弁１１が開き、圧縮室９と連通させる、これにより背圧室８の圧力を一定に保つのである。
【００１２】
図１および２において、背圧制御弁１１に弾性体のコーティング１４を設ける事により、洩れを無くし背圧室に常に一定以上の圧力を保つことが可能となり、性能の向上を図る事ができる。
【００１３】
弾性体のコーティングとしては、樹脂材やゴム材等が考えられる。
【産業上の利用可能性】
【００１４】
以上のように、本発明のスクロール圧縮機は、低速低負荷条件においても高性能を実現することができ、空調機、冷凍機等に適用できる。
【図面の簡単な説明】
【００１５】
【図１】本発明実施の形態における圧縮機の断面図
【図２】本発明実施の形態における背圧制御機構の拡大断面図
【図３】従来のスクロール圧縮機を示す断面図
【図４】従来のスクロール圧縮機における背圧制御機構の拡大断面図
【符号の説明】
【００１６】
１  電動機
２  回転軸
３  固定スクロール
４  旋回スクロール
５  オルダム継ぎ手
６  吸入孔
７  吐出孔
８  背圧室
９  圧縮室
１０  背圧制御機構
１１  背圧制御弁
１２  制御用バネ
１３  背圧ピン
１４  樹脂コーティング
【図１】
2008002282.tif 000003
【図２】
2008002282.tif 000004
【図３】
2008002282.tif 000005
【図４】
2008002282.tif 000006
(57)【要約】【課題】外径測定にマイクロメータがある、この測定具は測定者によって測定圧のちがい、及び測定部材の測定面に対して測定具の傾きを生じ易く測定数値に誤差が生じる。【解決手段】測定器に圧力バネを使用し測定圧の個人差、及びアンビルの測定部材の受面を大きくして測定面に対して測定具の傾きを無くして数値の読みもダイヤルゲージを取付けて完成。【選択図】図１
2008002820.tif 000002
【特許請求の範囲】
【請求項１】
携帯式の寸法測定器であって、Ｃ形フレームに逆Ｔ字形状のアンビルとアンビルの取付け軸に垂直にスライドする測定子とダイヤルゲージとからなり、測定部材の外径寸法が最良値を得るためアンビルの測定部材の受面を大きくし、測定子が圧力バネの一定した押し力により測定部材を挟み込み測定子と連動するダイヤルゲージの数値を読み取る、又換ブッシュは測定物の寸法の大小に対応できることを特徴とする寸法測定器。
【発明の詳細な説明】
【技術分野】
【０００１】
本発明は携帯式の寸法測定器に関し、測定部材の外径寸法を容易に測定出来る寸法測定器に関するものである。
【背景技術】
【０００２】
従来丸材の外径寸法測定、角材の２面幅の寸法測定に外測マイクロメータ等がある。
【特許文献１】特開２００６−１７６６５号公報
【発明の開示】
【発明が解決しようとする課題】
【０００３】
上述した測定具は測定者による測定圧の違い、アンビルの測定部材の受面が小さくて測定器の傾きが生じ易く測定者は熟練した技能が必要である。
【課題を解決するための手段】
【０００４】
上記課題を解決するための手段として逆Ｔ字形状のアンビルの受面を大きくし、アンビルの平面に対し直角方向に最良の位置及び測定値を得るため、測定子を圧力バネの一定の押し力により測定部材を挟み込み未熟者でも容易に最良の位置及び安定した数値を得ることの出来る寸法測定器である。
【発明の効果】
【０００５】
本発明によりシリンダーゲージ感覚で未熟者でも容易に最良の数値を得ることが出来る。
【発明を実施するための最良の形態】
【０００６】
本発明を実施するための最良の形態について図面３を用いて説明する。
測定部材８をアンビル９と圧力バネ６の一定の押し力で測定子７で挟み込むことにより容易に最良の測定位置及び測定値を得ることが出来る。
【実施例１】
【０００７】
図１、図２は実施状態を示す。  
【図面の簡単な説明】
【０００８】
【図１】本発明の寸法測定器の全体斜視図である。
【図２】寸法測定器での二面幅の測定使用状態を示す。
【図３】寸法測定器の各部の名所。
【図４】測定子及び測定子取付けガイド要部の拡大図である。
【符号の説明】
【０００９】
1   Ｃ形フレーム
2   測定子取付ガイド
3   ダイヤルゲージ
4   ダイヤルゲージ取付ネジ
5   測定子ガイド取付ネジ
6   圧力バネ
7   測定子
8   測定部材
9   アンビル
10  換ブッシュ
11  アンビル取付ネジ
【図１】
2008002820.tif 000003
【図２】
2008002820.tif 000004
【図３】
2008002820.tif 000005
【図４】
2008002820.tif 000006